(57)【要約】      （修正有）【課題】薄型テレビを壁に埋め込んで設置をする場合に埋め込む部分の壁の断熱や防音、強度、メンテナンス性を確保した機器取り付け具を提供する。【解決手段】  薄型テレビ２の機器取り付け具１は、壁６に埋め込まれて固定される、薄型テレビの機器取り付け具であって、薄型テレビに取り付けられる取り付け部１０と、少なくとも壁に埋め込まれる部分に断熱部４を有し、薄型テレビを収納する収納部１１と、取り付け部の一端を回転自在に軸支する支持機構１２と、を有し、収納部は、薄型テレビの表示面が壁と同じ面になり、且つ、薄型テレビの背面に放熱のための背面空間を確保する深さと、背面空間の空気の出入りのための隙間を薄型テレビの少なくとも上下に確保する大きさと、を有する。【選択図】図２
2006253296.tif 000002
【特許請求の範囲】
【請求項１】
壁面に埋め込まれて取り付けられる電気機器の機器取り付け具であって、
前記電気機器に取り付けられる取り付け部と、
前記取り付け部に取り付けられた前記電気機器を収納し、且つ、少なくとも前記壁面に埋め込まれる部分に断熱部を有する収納部と、
前記収納部に取り付けられ、且つ、前記取り付け部の一端を回転自在に軸支する支持機構と、
を有する電気機器の機器取り付け具において、
前記収納部は、
前記電気機器の背面側に放熱のための背面空間を確保する深さと、
前記背面空間の空気の出入りのための隙間を前記電気機器の少なくとも上側と下側のいずれにも確保する大きさと、
を有することを特徴とする電気機器の機器取り付け具。
【請求項２】
請求項１に記載の電気機器の機器取り付け具において、
前記支持機構は、前記取り付け部を一定の角度範囲で回転軸支することを特徴とする電気機器の機器取り付け具。
【請求項３】
請求項２に記載の電気機器の機器取り付け具において、
前記支持機構は、前記取り付け部の回転範囲を制限するストッパを有することを特徴とする電気機器の機器取り付け具。
【請求項４】
請求項１乃至請求項３のいずれか一項に記載の電気機器の機器取り付け具において、
前記支持機構は、前記取り付け部の下方を軸支することを特徴とする電気機器の機器取り付け具。
【請求項５】
請求項１乃至請求項４のいずれか一項に記載の電気機器の機器取り付け具において、
前記取り付け部は、
鉤部を有し、且つ、前記電気機器に取り付けられて使用される装置側固定具と、
前記鉤部と係合する鉤孔を有し、且つ、前記収納部に取り付けられて使用される収納側固定具と、を有し、
前記装置側固定具は前記電気機器に取り付けられた状態で、前記収納側固定具に着脱可能である、ことを特徴とする電気機器の機器取り付け具。
【請求項６】
請求項５に記載の電気機器の機器取り付け具において、
前記装置側固定具は、前記電気機器が前記収納部に収納された状態以外の状態で、前記収納側固定具に着脱可能である、ことを特徴とする電気機器の機器取り付け具。
【請求項７】
請求項１乃至請求項６のいずれか一項に記載の電気機器の機器取り付け具において、
前記収納部は、壁に取り付けるためのねじ穴が複数個有している、ことを特徴とする電気機器の機器取り付け具。
【請求項８】
請求項１乃至請求項７のいずれか一項に記載の電気機器の機器取り付け具において、
前記背面空間の上部に排気用ファンが付いている、ことを特徴とする電気機器の機器取り付け具。
【請求項９】
請求項１乃至請求項８のいずれか一項に記載の電気機器の機器取り付け具において、
前記収納部には前記電気機器へ電力を供給する配線がなされている、ことを特徴とする電気機器の機器取り付け具。
【発明の詳細な説明】
【技術分野】
【０００１】
本願は、電気機器の機器取り付け具の技術分野に属する。
【背景技術】
【０００２】
従来、プラズマテレビや液晶テレビなどの電気機器は、従来のＣＲＴに比して薄型で軽量であることから壁掛け設置されることが多く、壁厚が充分に確保できる場合には美観を確保するために壁に埋め込んだ設置の要望が多かった。
【０００３】
しかしながら、従来は、電気機器を壁に埋め込んで設置する機器取り付け具が市販されておらず、かかる要望に応じる場合は、その都度、電気機器の大きさや重量を考慮して壁に開ける穴の設計を行い電気機器を設置していた。しかも、簡易な金具を介して直接壁面に取り付けることが行われていた。
【０００４】
しかし、かかる取り付けの場合、テレビの背面に放熱のための空間が確保されていなかったり、或いは、空間は確保されているもののその空間への空気を出入りさせるための隙間がテレビ前面の周囲に設けられていなかったりして、背面空間の温度が上昇しテレビの放熱ができなくなり、温度上昇でテレビが動作停止するという不具合が生じることもあった。
【０００５】
また、開けられた穴の部分の壁面の断熱や防音、強度が充分ではないために、壁面に結露が生じたり、部屋の保温性能、静音性、強度等の点で問題が発生する場合があった。
【０００６】
更に、メンテナンスを考慮せずに取り付けた場合など、テレビを穴から取り出すことができず、サービス性が非常に悪くなるといった事態も生じていた。
【０００７】
電気機器を壁面に埋め込む先行技術として例えば以下のものがあった。
【特許文献１】特開平９−２８８４５６号公報
【特許文献２】実開平３−１８５８０号公報
【発明の開示】
【発明が解決しようとする課題】
【０００８】
しかしながら、上記特許文献１に記載された第一の従来技術は、平面型画像形成装置の配線等の収納に関して着目しているものの、その装置が背面に放出する熱の排出、断熱についてはなんら考慮されていなかった。
【０００９】
また、上記特許文献２に記載された第二の従来技術も、壁面に埋め込まれた端末が正面側から開閉可能なように取り付けられる点を考慮しているものの、端末が背面空間に放出する熱の排気にはなんら考慮されていなかった。
【００１０】
本願は上記の各問題点に鑑みてなされたものであって、その課題の一例は、電気機器を壁面に埋め込んで設置をする場合に埋め込む部分の壁面の断熱や防音、強度、メンテナンス性を確保した電気機器の機器取り付け具を提供することにある。
【課題を解決するための手段】
【００１１】
以下、本願について説明する。なお、本願の理解を容易にするために添付図面の参照符号を括弧書きにて付記するが、それにより本願が図示の形態に限定されるものではない。
【００１２】
上記の課題を解決するために、請求項１に記載の発明は、壁面（６）に埋め込まれて固定される、電気機器（２）の機器取り付け具（１）であって、電気機器（２）に取り付けられる取り付け部（１０）と、少なくとも壁面（６）に埋め込まれる部分に断熱部（１７）を有し、電気機器（２）を収納する収納部（１１）と、取り付け部（１０）の一端を回転自在に軸支する支持機構（１２）と、を有する電気機器（２）の機器取り付け具（１）において、収納部（１１）は、電気機器（２）の表示面が壁面（６）と同じ面になり、且つ、電気機器（２）の背面に放熱のための背面空間（１８）を確保する深さと、背面空間（１８）の空気の出入りのための隙間（１９ａ，１９ｂ）を電気機器（２）の少なくとも上下に確保する大きさと、を有することを特徴とする。
【発明を実施するための最良の形態】
【００１３】
次に、本願に対応する最良の実施形態について、図面に基づいて説明する。
【００１４】
本実施形態に係る電気機器の機器取り付け具の全体構成について、図１及び図２を用いて説明する。図１は本実施形態に係る電気機器の機器取り付け具を壁面に取り付ける際の取り付けの概要を示す図、図２は本実施形態に係る電気機器の機器取り付け具が壁面に取り付けた状態を示す側方断面図である。
【００１５】
図１に示すように、本実施例は、外壁３と空気層、断熱材４、内壁５から構成される壁６に開けられた穴７に本願に係る機器取り付け具１が埋め込まれ、薄型テレビ２が取り付けられ、更に化粧カバー２４が取り付けられた構成を有している。壁６が薄型テレビ２の重量を分散して受けることができるよう、機器取り付け具１には取り付けるためのねじ穴９が多数設けられている。また、薄型テレビ２へ電力を供給するためのコンセント８及びアンテナ端子（図示省略）も備わっている。空気層は壁内部における上下方向の空気の流れを確保している。
【００１６】
図２に示すように、機器取り付け具１は、薄型テレビ２に取り付けられる取り付け部１０と、薄型テレビ２を収納する収納部１１と、取り付け部１０の下の端を回転自在に軸支する支持機構１２と、を有して構成されている。
【００１７】
取り付け部１０は、収納部１１に取り付けられて使用される収納側取り付け部１３と薄型テレビ２に取り付けられて使用されるテレビ取り付け板１４とで構成される。収納側取り付け部１３はフック孔１５を有し、テレビ取り付け板１４はフック部１６を有する。収納側取り付け部１３は断熱材２６を介して収納部１１に取り付けられる。テレビ取り付け板１４は薄型テレビ２に取り付けられた状態で、収納側取り付け部１３のフック孔１５に取り付けられる。このときの取り付け状態を図３に示す。ここで、テレビ取り付け板１４及び収納側取り付け部１３は、薄型テレビ２の重量に耐えられる材料で構成されており、例えば、鉄、ステンレス等の金属が好ましい。
【００１８】
収納部１１は、壁面に埋め込まれる部分が断熱部１７で覆われている。収納部４は鉄やステンレス、プラスチックス等で構成されることが好ましい。上記の断熱材２６及び断熱部１７は発泡ウレタンや発泡スチロール、グラスウール等が好ましく、また、断熱塗料を用いることも可能である。
【００１９】
収納部１１は、収納された薄型テレビ２の表示面が壁面と同じ面になり、且つ、薄型テレビ２の背面に放熱のための背面空間１８が確保されるだけの深さを有している。また、薄型テレビ２の表示面の上側及び下側には背面空間１８への空気の出入りのための隙間１９ａ，１９ｂを確保する程度の大きさを有している。このときの空気の流れを図４を用いて説明する。図４は、収納部１１に薄型テレビ２が格納された状態における空気の流れを、正面図（図４（ａ））及びＡ−Ａ断面図（図４（ｂ））、Ｂ−Ｂ断面図（図４（ｃ））に示す矢印を用いて示している。図４（ａ）乃至図４（ｃ）からも判るように、下側の隙間１９ｂから流入した空気が薄型テレビ２の排熱を吸収して上側の隙間１９ａから流出する煙突効果が発揮できる。取り付け部１０も、この煙突効果を阻害しないよう、横方向の構造物が最小限となる形状となっている。
【００２０】
支持機構１２はストッパ２０と取り付け部１０の下方に設けられたヒンジ部２１とで構成されている。このヒンジ部２１を介して取り付け部１０の上方が収容部１１から出るように軸支されている。また、テレビ取り付け板１４に取り付けられた薄型テレビ２の背面側の作業性のため、例えば、配線や清掃のためのメンテナンス作業ができる程度に開くよう、支持機構１２に取り付けられたストッパ２０は、所定の角度、例えば、３０度程度、開くように構成されている。図２では、開いた状態を１点鎖線を用いて示している。ストッパ２０は、チェーンやエアスプリングなどが好ましく用いられる。
【００２１】
ここで、例えば、本実施の形態における機器取り付け具１は本願に係る電気機器の機器取り付け具を、薄型テレビ２は本願に係る電気機器を、コンセント８は本願に係る配線を、ねじ穴９は本願に係るねじ穴を、取り付け部１０は本願に係る取り付け部を、収納部１１は本願に係る収納部を、支持機構１２及びヒンジ部２１は本願に係る支持機構を、収納側取り付け部１３は本願に係る収納側固定具を、テレビ取り付け板１４は本願に係る装置側固定具を、フック孔１５は本願に係る鉤部を、フック部１６は本願に係る鉤孔を、断熱部１７は本願に係る断熱部を、背面空間１８は本願に係る背面空間を、隙間１９ａ，１９ｂストッパ２０は本願に係るストッパを、それぞれ構成する。
【００２２】
以上に説明した機器取り付け具が実際に壁面に取り付けられる際の取り付け作業について図１及び図３を用いて説明する。
【００２３】
壁６に開けられた穴７に機器取り付け具１が埋め込まれて固定され、ねじ止めされている。薄型テレビ２に取り付けられたテレビ取り付け板１４のフック部１６が、収納側取り付け部１３のフック孔１５に取り付けられ、作業の安全のためにストッパが掛けられる。続いて、薄型テレビ２の電源コードがコンセント８に接続され、薄型テレビが収納部１１に収納されて取り付けが完了する。
【００２４】
上記実施の形態は以下の効果を有する。
【００２５】
薄型テレビ２を壁６に埋め込み化粧カバー２４を取り付けることで美観を確保することができる。
【００２６】
薄型テレビ２の前面の上側と下側には背面空間１８に通じる隙間１９ａ，１９ｂが確保されているので、背面空間１８の空気は煙突効果によって効率よく流れることができ、薄型テレビ２の排熱を効率よく排出することができる。取り付け部１０もこの煙突効果を阻害しない形状をしている。
【００２７】
収納部１１の外側には断熱部１７があるので、背面空間１８の熱を壁６に伝えることはない。また、壁６からの熱の影響を収納部１１内に持ち込むこともない。よって、壁６や収納部１１に結露が生じることもなく、音が壁６に伝わることもない。
【００２８】
支持機構１２が取り付け部１０の開閉を一定の角度範囲内に制限しているので、薄型テレビ２の配線作業をするとき支える必要がなく、メンテナンスの作業性が向上する。
【００２９】
回転範囲を制限するストッパ２０を有しているので、背面側の作業を行っている際に、薄型テレビ２が大きく開いたり、或いは、その結果、薄型テレビ２機器が取り付け具１から外れて落下することはなく、背面側の作業を安全に行うことが可能となる。
【００３０】
薄型テレビ２の取り付けにはフック部１６とフック孔１５を用いて行うので、簡易に取り付けを行うことができる。
【００３１】
取り付け部１０がテレビ取り付け板１４と収納側取り付け部１３に分かれているので、安定した状態で薄型テレビ２にテレビ取り付け板１４を取り付ける作業を行った後に、持ち上げてフックへ掛けることができる。よって、重量物（薄型テレビ２）を持ち上げた状態での作業を最小限にできる。
【００３２】
収納部１１には取り付けのためのねじ穴が複数個設けられているので、薄型テレビの重量に応じて取り付けねじの個数を多くすることができる。よって、壁が受ける重量を分散させることが可能となる。
【００３３】
収納部１１には薄型テレビ２に電力を供給するコンセント８が備わっているので、取り付けを簡易に行うことができる。
【００３４】
なお、本願の実施の形態は上記に限定されるものではなく、例えば以下のように変形してもよい。
【００３５】
図５に本実施の形態の変形例の正面図を示す。薄型テレビ２の上側に設けられた隙間１９ａにおいて、図に示すように、空気の流れを制限しない範囲で収納部１１の内側形状を変化させ、隙間の狭い箇所２２ａ，２２ｂを設けている。これにより、薄型テレビ２が収納部１１に収納された状態では、薄型テレビ２を上方へ移動させることができない。よって、フック部がフック穴から外れることもない。地震などで上下方向の力が加わったときであっても、収納部１１に収納されている限りはフックから外れることはないので、安全性を高めることができる。
【００３６】
隙間１９ａに排気用ファン２３を設けても良い。背面空間の空気の流れを強制的に行うことで放熱をより効率よく行うことが可能となる。更に、温度が上昇したときだけ排気用ファンが駆動するように制御しても良い。
【００３７】
上記実施の形態では断熱部１７を収納部１１の外側に配置しているが、内側に配置しても良い。この場合、断熱塗料を収納部１１の内側面に塗布してもよい。
【００３８】
上記実施の形態では薄型テレビ２を壁６に完全に埋め込んでいるが、これに限定されるものではなく、電気機器の背面側の一部を埋め込むようにしても良い。例えば、図６に示すエアコン２５などのように、壁面に沿って空気の流入、流出をさせたい場合など、電気機器の一部を壁面から出した状態で設置したい場合にも本願を適用することは可能である。
【００３９】
上記実施の形態では、支持機構１２は取り付け部１０の下方を軸支して上方が開く構造としているが、これに限定されるものではなく、図７に示すように上方を軸支して下方を開く構造、或いは、横方向に開く構造としてもよい。エアコンやガス警報機などのように部屋の上部に設置する電気機器の場合、下方が開く構造としたほうがメンテナンス性がよく、また、ホームセキュリティシステムに用いるコントローラやガスのコントローラのように小型で軽量なものの場合、上方が開く構造に限定されるものではなく、横に開く構造であってもよい。
【図面の簡単な説明】
【００４０】
【図１】本実施の形態の電気機器の機器取り付け具を壁面に取り付ける際の取り付けの概要を示す図である。
【図２】本実施の形態の電気機器の機器取り付け具を壁面に取り付けた状態を示す側方断面図である。
【図３】本実施の形態の電気機器の機器取り付け具を取り付ける状態を示す図である。
【図４】本実施の形態の薄型テレビ２を取り付けたときの空気の流れを示す図であって、図４（ａ）は正面図、図４（ｂ）はＡ−Ａ断面図、図４（ｃ）はＢ−Ｂ断面図を示している。
【図５】本実施の形態の変形例の正面図を示す。
【図６】本実施の形態の変形例で、エアコン２５を壁面に取り付けた状態を示す側方断面図である。
【図７】本実施の形態の変形例で、エアコン２５を壁面に取り付ける際の取り付けの概要を示す図である。
【符号の説明】
【００４１】
１：機器取り付け具
２：薄型テレビ
６：壁
８：コンセント
９：ねじ穴
１０：取り付け部
１１：収納部
１２：支持機構
１３：収納側取り付け部
１４：テレビ取り付け板
１５：フック孔
１６：フック部
１７：断熱部
１８：背面空間
１９ａ，１９ｂ：隙間
２０：ストッパ
２１：ヒンジ部
２３：排気用ファン
【図１】
2006253296.tif 000003
【図２】
2006253296.tif 000004
【図３】
2006253296.tif 000005
【図４】
2006253296.tif 000006
【図５】
2006253296.tif 000007
【図６】
2006253296.tif 000008
【図７】
2006253296.tif 000009